(57)【特許請求の範囲】
【請求項１】
目的地までの経路を探索し、探索した経路を誘導するナビゲーション装置であって、
ディスプレイと、
入力手段と、
道路表示を行うときに参照される地図表示座標であって、複数の行政区界を跨ぐ道路について行政区毎に地図表示座標を設定し、設定された地図表示座標を記憶する記憶手段と、
入力手段からの検索情報に応答して、前記記憶手段に記憶された地図表示座標を参照し、検索情報によって特定された行政区の地図表示座標を有する道路を検索する検索手段と、
検索された道路の地図表示座標に基づき当該道路をディスプレイに表示する表示手段とを有し、
前記地図表示座標は、行政区内を通過する道路のランドマークが一定数以上存在する地点に設定される、ナビゲーション装置。
【請求項２】
前記検索情報は、ユーザーから入力される行政区を階層的に絞り込む情報である、請求項１に記載のナビゲーション装置。
【請求項３】
前記検索手段は、検索情報によって特定された行政区内を通過する道路のリストを生成し、生成された道路リストをディプレイに表示させる、請求項１に記載のナビゲーション装置。
【請求項４】
前記表示手段は、道路リストの中から選択された道路をディスプレイに表示する、請求項１ないし３いずれか１つに記載のナビゲーション装置。
【請求項５】
ナビゲーション装置はさらに、検索された道路の地図表示座標を目的地に設定し、当該目的地までの経路を探索する経路探索手段を有する、請求項１ないし４いずれか１つに記載のナビゲーション装置。
【請求項６】
道路表示を行うときに参照される地図表示座標を備えたナビゲーション装置における道路検索方法であって、
複数の行政区界を跨ぐ道路について行政区毎に地図表示座標を設定するステップと、
検索情報が入力されたとき、検索情報によって特定された行政区の地図表示座標を有する道路を検索するステップと、
検索された道路の地図表示座標に基づき当該道路をディスプレイに表示するステップとを有し、
前記地図表示座標は、行政区内を通過する道路のランドマークが一定数以上存在する地点に設定される、道路検索方法。
【請求項７】
道路検索方法はさらに、ディスプレイに表示された道路およびその周辺地図に基づき目的地を設定するステップを有する請求項６に記載の道路検索方法。
【請求項８】
検索された道路は、ディスプレイ上に強調表示される、請求項６または７に記載の道路検索方法。
【請求項９】
検索された道路を表示するとき、当該道路沿いに存在するランドマークのみを表示する、請求項６ないし８いずれか１つに記載の道路表示方法。
【発明の詳細な説明】
【技術分野】
【０００１】
本発明は、目的地までの経路を探索し、探索した経路を案内する機能を備えたナビゲーション装置に関し、特に、目的地の設定等を行うときの住所検索に関する。
【背景技術】
【０００２】
ナビゲーション装置は、自車の現在位置を検出し、地図データベースから自車位置周辺の地図データを読み出し、これをディスプレイに描画するとともに該地図上に車両マークを重ねて表示する。車両の移動により現在位置が変化すると、地図がスクロールし、それに併せて車両マークが移動する。
【０００３】
ナビゲーション装置の代表的な機能は、目的地までの経路を探索し、自車の移動とともに、目的地までの経路を誘導案内する機能である。目的地の設定を容易にするため、電話番号や住所から施設や建物を検索したり、ジャンルなどから娯楽施設やレジャー施設等を検索したり、ディスプレイの地図画面上においてカーソルを移動させて地点を検索する機能等が設けられている。また、目的地は、一箇所に限らず、その途中の立ち寄り地などの設定も可能になっている。
【０００４】
住所の番地整備が不十分な地域や、住所データベースが開発途上だったりすると、末端の番地を用いた住所検索を行うことができない場合がある。特に、中国や欧米など国は、日本の住所表記と異なり、道路名称で住所表記されるのが一般的である。このような国々での住所検索は、道路（ストリート）検索となる。
【０００５】
住所検索、すなわち道路検索を行う場合、ユーザーは、例えば行政区で決められた上位層から下位層へ絞り込み検索をし、この検索によって特定された都市または区などに存在する道路のリストの中から所望の道路を選択する。道路検索において、同一都市内に同名の道路が複数存在する場合には、道路名から正確に目的地を特定することができない。特許文献１は、こうした問題を解決するために、入力された道路名が都市内の複数の地区を通過する場合、これらの複数の地区をディスプレイ画面に表示し、その中から目的地が存在する地区を特定することを可能にしている。
【０００６】
また、目的地を道路とした場合、誘導ポイントとして道路の端部への案内を行うことがあるが、その場合には車両が道路の中央付近に到達しているにもかかわらず案内を継続してしまうという問題がある。特許文献２は、こうした問題を解決するために、車両が道路または道路に沿った所定距離範囲に到達したとき、目的地に到達したことを音声で通知する技術を開示している。
【０００７】
【特許文献１】特開２００２−１０７１６６号
【特許文献２】特開２００２−３９７８０号
【発明の開示】
【発明が解決しようとする課題】
【０００８】
中国のように、広大な国土を有し、未だ番地整備がされていないまたは番地検索が許可されていない地域では、検索された道路を表示するときに参照される地図表示座標が、１つの道路に対して１つしか設定されていない。さらに、道路のどの位置に地図表示座標を設定するかについて、必ずしも明確な取り決めがあるわけではなく、設定される位置は、データベース作成者側の任意に委ねられている。例えば、ある道路については、その中間地点が地図表示座標として設定され、ある道路については、その端部が地図表示座標として設定される。こうした場合、１つの道路名称が複数の行政区界を跨いでいると、ユーザーが探している行政区と異なる行政区の道路が表示されてしまうことがある。
【０００９】
例えば、「青年大街」という道路は、「瀋陽市  朝日区  青年大街」と「瀋陽市  夕日区  青年大街」の同一市内に存在し、朝日区と夕日区を跨いで通過している。仮に、「青年大街」の地図表示座標が夕日区に設定され、ユーザーが瀋陽市／朝日区／青年大街という絞込み検索した場合、朝日区を通過する道路リストの中から「青年大街」が選択されるが、地図表示座標が夕日区に設定されているため、ディスプレイには、夕日区の「青年大街」が表示されてしまう。このため、ユーザーが探している朝日区の「青年大街」を表示することができない。さらに、ナビゲーション装置によっては、「青年大街」の地図表示座標が夕日区に設定されている場合、朝日区から「青年大街」を絞り込むことができないモデルもある。
【００１０】
本発明は、こうした従来の課題を解決するものであり、住所検索または道路検索においてユーザーが所望する住所または道路を正確に検索し、かつ表示することができるナビゲーション装置を提供することを目的とする。
【課題を解決するための手段】
【００１１】
本発明に係るナビゲーション装置は、ディスプレイと、入力手段と、道路表示を行うときに参照される地図表示座標であって、複数の行政区界を跨ぐ道路について行政区毎に地図表示座標を設定し、設定された地図表示座標を記憶する記憶手段と、入力手段からの検索情報に応答して、前記記憶手段に記憶された地図表示座標を参照し、検索情報によって特定された行政区の地図表示座標を有する道路を検索する検索手段と、検索された道路の地図表示座標に基づき当該道路をディスプレイに表示する表示手段とを有する。
【００１２】
好ましくは、前記検索情報は、ユーザーから入力される行政区を階層的に絞り込む情報であり、例えば、中国における住所検索であれば、省／市／区の順に絞込みを行う。また、検索手段は、検索情報によって特定された行政区を通過する複数の道路リストを生成し、生成された道路リストをディプレイに表示させる。例えば、絞り込み検索によりある区が選択されると、その区を通過するすべての道路がリスト表示される。そして、道路リストから選択された道路がディスプレイに表示される。
【００１３】
地図表示座標は、例えば、行政区を通過する道路の中間地点、行政区を通過する道路のランドマークが一定以上存在するような密集する地点、または、交差点に設定することができる。
【００１４】
さらに本発明に係る、道路表示を行うときに参照される地図表示座標を備えたナビゲーション装置における道路検索方法は、複数の行政区界を跨ぐ道路について行政区毎に地図表示座標を設定するステップと、検索情報が入力されたとき、検索情報によって特定された行政区の地図表示座標を有する道路を検索するステップと、検索された道路の地図表示座標に基づき当該道路をディスプレイに表示するステップとを有する。
【００１５】
道路検索方法はさらに、ディスプレイに表示された道路およびその周辺地図に基づき目的地を設定するステップを有し、その際、検索された道路を強調表示することができる。また道路沿いに存在するランドマークのみを表示するようにしてもよい。道路検索方法は、検索された道路の地図表示座標またはその近隣の地点を目的地に設定し、目的地までの経路を探索するステップを有し、
【発明の効果】
【００１６】
本発明によれば、行政区界を跨ぐ道路について行政区毎に地図表示座標を設定するようにしたので、住所検索時に道路表示を行う際に、ユーザーが所望する行政区の道路または住所を正確に表示させることができる。さらに、正確に表示された地点を目的地として最適経路を探索し、かつ目的地までの経路案内を行うことができる。
【発明を実施するための最良の形態】
【００１７】
本実施例の車載用ナビゲーション装置の詳細について図面を参照して詳細に説明する。
【実施例】
【００１８】
図１は、本発明に係る車載用ナビゲーション装置の構成を示すブロック図である。ナビゲーション装置１は、ＧＰＳ衛星からの電波を受信して車両の現在位置と現在方位を測定するＧＰＳ受信機１０、車速センサやジャイロセンサ等を含む自立航法用センサ１２、アンテナ１４を介して車両外部の現在の道路交通情報を受信するＶＩＣＳ・ＦＭ多重レシーバ１６、タッチパネル２２、音声入力部２４およびリモコン操作部２６を含むユーザー入力インターフェース２０、大容量のハードディスクを有する記憶装置３０、無線または有線によりデータ通信を可能とするデータ通信制御部３２、スピーカ４２から音声を出力させる音声出力部４０、ディスプレイ５２に画像を表示させる表示制御部５０、プログラムを記憶するプログラムメモリ６０、データを一時記憶するデータメモリ７０、車両バスなどの車内通信により車両の走行状態を検出する状態検出部８０、および制御部９０を含んでいる。
【００１９】
記憶装置３０は、ナビゲーションの各種機能を実行するためのプログラムおよびデータベースを記憶する。プログラムは、目的地までのルート探索、目的地までのルート案内、その他ナビゲーションに必要な機能を含んでいる。
【００２０】
データベースは、地図データおよび施設データ等を含む。地図データは、道路に関するリンク(道路)データおよび交差点データを含む。リンクデータは、交差点と交差点とを連結する道路に関するデータであり、道路の始点と終点の座標を示すノードデータ、および道路の種別（国道、一般道、県道など）を示す種別データ、幅員、規制（例えば、一方通行）、車線数、リンクコストまたはリンクの所要時間に関する情報を含んでいる。交差点データは、交差点の座標位置、交差点の名称や交差点の右左折等に関する規制データを含んでいる。施設データは、レストラン、駐車場、店、ビル、その他の多くのランドマークに関する位置や名称等の情報を含んでいる。
【００２１】
リンクデータにはさらに、道路表示を行うときに参照される地図表示座標を含んでいる。地図表示座標は、１つの道路名称について少なくとも１つ設定されている。１つの道路名称が複数の行政区界を跨ぐ場合には、行政区界毎に地図表示座標が設定されている。好ましくは、図２に示すように、道路名称と地図表示座標との関連を記憶する管理テーブルが用いられる。例えば、道路名称Ｓ１を構成するリンク（Ｌ＃１０、１１、１２）が関連付けされ、それらのリンクに含まれる座標位置から、当該道路名称Ｓ１が通過する行政区が識別される。道路名称が、１つの行政区内を通過するのであれば、フラグが「０」に設定され、複数の行政区界を跨ぐ場合には、フラグが「１」に設定される。例えば、省／市／区の階層的な行政区をもつとき、道路名称Ｓ１は、Ａ区のみを通過する道路であり、道路名称Ｓ２は、Ａ区およびＢ区を通過する道路である。
【００２２】
道路名称が１つの行政区を通過する場合には、当該行政区を通過する道路上の１つの地点が地図表示座標として設定され、道路名称が複数の行政区を通過する場合には、それぞれの行政区毎に行政区内を通過する道路上の１つの地点が地図表示座標として設定される。道路名称Ｓ１の場合、Ａ区内の道路Ｓ１上の地点Ｐ１が地図表示座標に設定される。道路名称Ｓ２の場合、Ａ区とＢ区のそれぞれについて道路Ｓ２上の地点Ｐ２ａ、Ｐ２ｂが地図表示座標として設定される。
【００２３】
データ通信制御部３２は、内部通信機能、または、携帯通信端末などの外部通信機能を介して、外部のネットワークや外部の電子機器とデータ通信を可能にする。例えば、他のナビゲーション装置と通信したり、携帯電話やネットワークサーバとデータ通信を行う。
【００２４】
プログラムメモリ６０は、記憶装置３０に記憶されたプログラムをロードし、例えば、目的地までのルート探索を行うプログラム６２、ルート案内を行うプログラム６４、住所を検索する住所検索プログラム６６等を格納する。データメモリ７０は、記憶装置３０から読み出した地図データ７２、ルート探索された経路データ７４、検索されたリンクデータ７６等を記憶する。また、ナビゲーション装置に着脱可能な外部メモリを併せて利用することも可能である。
【００２５】
状態検出部８０は、車両バスに接続され、自車の車速パスル信号、ハンドル操舵角情報、パーキング情報などを検出し、これらの信号を制御部９０へ出力する。制御部９０は、状態検出部８０からの信号に基づき車両の走行状態を判定し、さらに、ユーザーインターフェース２０からの指示に応答して、プログラムメモリ６０に格納された各種プログラムに従いナビゲーション動作を制御する。
【００２６】
本発明に係るナビゲーション装置は、記憶装置３０に格納されているデータベースを利用して、住所検索、特に、道路検索をするときに新規な特徴を備えている。道路検索は、例えば、住所を道路名称で表記する国や地域、あるいは住所の番地が整備されていない地域において利用される。また、検索された道路は、その道路に設定された地図表示座標に基づきディスプレイ上に表示される。併せて道路周辺の地図を表示するようにしてもよい。表示された道路は、目的地を設定するときに利用されたり、あるいは、周辺施設等のサーチに利用される。
【００２７】
次に、ナビゲーション装置における住所検索動作を図３のフローチャートを参照して説明する。ナビゲーション装置が起動され、メニュー画面から目的地を設定するための項目が選択されると、図４に示すような初期検索画面２００がディスプレイに表示される（ステップＳ１０１）。
【００２８】
初期検索画面２００からユーザーが住所検索を選択すると（ステップＳ１０２）、制御部９０は、記憶装置３０に記憶されたデータベースを参照し、ディスプレイ５２上に検索画面２１０を表示させる（ステップＳ１０３）。以後、この検索画面２１０から行政区に応じた階層的な絞込み検索が行われる（ステップＳ１０４）。
【００２９】
住所検索画面２１０において、右画面２１２には、アルファベット順または５０音順などの一定のルールの下で、行政区の最上レベルのリストが表示される。本例では、省／市／区の階層を用いるため、ここには、最上層の省のリストがアルファベット順に表示されている。ディスプレイに表示しきれない省は、スクロールバーによって表示させることができる。左画面２１４には、現在選択状態にある住所に対応したミニマップが表示されている。ミニマップは、一定のスケール（ここでは、自車位置を中心に２５０メートルが表示されている）の道路地図を表示し、かつ、地図上にカーソル２１６を表示させている。カーソル２１６を前後左右に移動させることで、ミニマップをその方向にスクロールさせることができる。検索画面の下段には、地図表示を指示するボタン２１８が配置され、リスト内の所望の省を選択し、ボタン２１８により入力を与えることで、ミニマップの地図表示を切替えることができる。同時に、スケールを変更することも可能である。
【００３０】
ユーザーは、入力インターフェース２０を操作して、住所検索画面２１０から所望の省を選択する。図の例では、「Ａ省」が選択されている。ユーザーにより所望の「省」が選択されると、検索画面２２０に切替り、検索画面２２０には、選択された［省］内に含まれる「市」のリストが表示される。「省」の選択をやり直す場合には、入力インターフェース２０を操作して、検索画面２１０に戻ることができる。検索画面２２０においても、左画面のミニマップには、選択された「市」に対応する地図表示が表示されている。検索画面２２０には、「Ａ省」に含まれる「Ａ１市、Ａ２誌、・・・Ａｎ市」のリストが表示され、ユーザーにより「Ａ２市」が選択された状態が示されている。
【００３１】
ユーザーにより所望の市が選択されると、検索画面２３０が表示される。検索画面２３０には、選択された市に含まれる区のリストとミニマップが表示される。図の例では、選択された「Ａ２市」に含まれる「Ａ２１区、Ａ２２区、Ａ２３区、・・・Ａ２ｎ区」のリストが表示されている。
【００３２】
次に、ユーザーにより所望の区が選択されると、検索画面２４０が表示される。検索画面２４０には、選択された区に含まれる道路のリストとミニマップが表示される。リストに含まれる道路から所望の道路を選択することで、目的地を設定することができる。なお、目的地を設定する詳細な操作は後述する。図の例では、選択された「Ａ２１区」に含まれる「Ａ２１１通り、Ａ２１２通り、Ａ２１３通り、・・・Ａ２１ｎ通り」のリストが表示され、「Ａ２１１通り」が選択された状態にある。ミニマップには、「Ａ２１１通り」を中心とする周辺地図が表示されている。
【００３３】
一方、検索画面２３０における絞込み検索で十分であるときは、検索画面２３０における所望の区を選択した状態で、地図表示ボタンの入力を行う。これにより、検索画面２５０に切替る。そこからさらに、地図スケールを変更すると、検索画面２６０に切替る。ユーザーは、地図スケールおよびカーソルを操作して、検索画面２６０から目的地を設定することができる。
【００３４】
以上のような行政区の絞込みを行い、絞り込まれた行政区毎の道路を表示させ、そこから目的地の設定が行われる（ステップＳ１０５）。
【００３５】
本実施例において注目すべきことは、上記したように１つの道路名称が複数の行政区界に跨る場合には、行政区毎に地図表示座標が設定されていることである。検索画面２３０において、ユーザーがいずれかの道路名称を選択したとき、制御部９０は、図２に示す管理テーブルを参照し、選択された道路名称が行政区界を跨ぐか否かを判定する。すわなち、フラグが「１」であれば、選択された道路名称は複数の行政区界を跨ぐと判定する。複数の行政区界を跨ぐ場合には、制御部９０は、現在絞り込まれている行政区の地図表示座標を参照し、その地図表示座標を基準として、道路およびその周辺地図をミニマップに表示する。
【００３６】
従来の手法であると、図５（ａ）に示すように、Ａ区およびＢ区に跨る１つの道路Ｓが存在し、地図表示座標ＰがＢ区に設定されている場合、階層的な絞込みからＡ区に含まれる道路Ｓを選択しても、地図表示はＢ区になってしまう。あるいは、Ａ区自体が選択できなかったり、Ａ区を選択しても道路Ｓを選択することができない。これに対して、本実施例では、道路Ｓについて、Ａ区およびＢ区にそれぞれ地図表示座標Ｐ１、Ｐ２を設定し、Ａ区で道路が選択された場合には、Ａ区の地図表示座標Ｐ１に基づき道路Ｓが表示され、Ｂ区の道路が選択された場合には、地図表示座標Ｐ２に基づき道路Ｓが表示され、検索した行政区毎の道路表示が可能となる。
【００３７】
なお、上記実施例では、省／市／区の順に階層的な検索を行う例を説明したが、ユーザーが以前に住所検索を行ったことがあるときは、前回に選択した「省」または「市」の選択を省略することができる。この場合には、「区」を選択するための検索画面２３０（図４を参照）が表示される。また、別の省や市を選択する場合には、検索画面２３０から検索画面２２０または検索画面２１０に戻ることができる。
【００３８】
次に、検索された道路表示から目的地を設定するときの好ましい例を図６を参照して説明する。ユーザーが最下層である区を選択し、検索画面２４０が表示され、さらに道路リストの中から所望の道路が選択され、その状態から地図表示ボタン２１８が入力されると、検索画面２７０が表示される。図の例では、「Ａ２１１通り」が選択されている。
【００３９】
検索画面２７０のミニマップには、検索された道路の地図表示座標を基準として道路が表示される。検索された道路は、ディスプレイ上において強調表示され、さらに、カーソルが検索された道路上にある時、吹き出しの文字枠で、道路の名称２７２が表示される。好ましくは、文字枠及び背景色を半透明表示。検索画面２７０の右画面には、目的地設定、地点登録、付近施設、画面切換の入力ボタンが表示されている。
【００４０】
この状態から画面切換ボタン２７４を選択すると、ディスプレイ５２にオープンマップの画面２８０が表示される。検索された道路の地図表示座標がオープンマップの中心として表示され、同時に、検索された道路が特別な色で強調表示される。
【００４１】
検索画面２８０の地図スケールを、２５０ｍから２００ｍに切替えると、検索画面２９０が表示される。検索された道路道路沿いの全てのランドマーク２９２が検索され、それらのアイコンが表示される。ランドマークは、ユーザマーク、ランドマーク、３Ｄデフォルメアイコン、誘導地点アイコンを含み、道路沿いの強調表示されたランドマークの表示は、詳細情報検索をサポートする。上記例では、スケールが２００ｍ以下に切替えられたときに、ランドマークを表示するようにしたが、切換を行うスケールの設定は、ユーザーによって任意に変更することができる。
【００４２】
オープンマップ画面２８０において、道路を強調表示し、かつ道路名称を表示させたが、道路名称を表示するか否かは、現在カーソルが検索道路上にあるか否かによって決定することができる。また、検索道路の強調表示の制限は、一定のスケール内とすることができる。例えば、スケールが５００ｍ以上であれば、強調表示しないようにする。
【００４３】
検索された道路の地図表示座標を目的地として設定することができるが、ユーザーは、カーソルを操作することで任意の位置を目的地に設定することが可能である。目的地の位置の設定が終了したならば、入力インターフェースを操作して、目的地の設定を指示する。
【００４４】
制御部９０は、目的地が設定されると、自車位置または指定された位置から目的地までの最適ルートを探索し、自車の走行に伴い、最適ルートにより目的地までの誘導案内を行う。
【００４５】
次に、目的地までの経路の案内動作について図７のフローチャートを参照して説明する。ＧＰＳ受信機１０および自立航法用センサ１２の出力信号に基づき制御部９０が自車位置を検出する（ステップＳ２０１）。検出された自車位置周辺の地図データが記憶装置３０から読み出され、読み出された地図がディスプレイ５２に表示される(ステップＳ２０２)。
【００４６】
制御部９０は、自車位置が目的地に接近したか否かを検知する（ステップＳ２０３）。接近したか否かは、目的地までの距離が一定値、例えば５００メートルに到達したか否かで判別する。自車位置が目的地まで５００ｍ以内に接近したとき、制御部９０は、ディスプレイ５２上に検索道路を強調表示させるとともに、吹き出しにより道路名称を表示させ、かつ、検索道路沿いに存在する全てのランドマークを表示させる（ステップＳ２０４）。強調表示は、住所検索時と同様に、目的地までの誘導経路や道路色が分かるようにコントラストを変えたり、破線を用いて表現することができる。ランドマークの表示もユーザー設定にかかわらず、検索道路沿いのものはすべて表示し、検索道路以外のランドマークはすべて消去する。このような表示は目的地に到達するまで継続される（ステップＳ２０５）。
【００４７】
図８は、「Ａ２１１通り」を目的地にしたときの案内画面例である。同図に示すように、自車位置マークＭが表示され、目的地までの距離が５００ｍ以内に接近すると、自車が走行している道路３００および検索された道路３０２までの経路３０４が表示され、かつ、検索道路が強調表示３０６（ハッチングで表示）される。また、道路名称として「Ａ２１１通り」が表示され、さらに、道路沿いのすべてのランドマークが表示されている。
【００４８】
このような案内表示を提供することで、ユーザーは、一目して検索道路３０２を認識し、検索道路沿いのランドマークを目安に、実際の目的地を的確に探すことが可能となる。
【００４９】
以上、本発明の好ましい実施の形態について詳述したが、本発明は係る特定の実施形態に限定されるものではなく、特許請求の範囲に記載された本発明の要旨の範囲内において、種々の変形・変更が可能である。
【産業上の利用可能性】
【００５０】
本発明に係るナビゲーション装置は、車載用ナビゲーション装置やシステム、あるいはこれらの機能を含むコンピュータ装置において利用することができる。また、電子装置は、ナビゲーション機能に加えて、オーディオ機能やＴＶ放送受信機能等を有するマルチメディア対応の電子装置またはそのような機能を備えた複数の電子機器から構成される電子システムにおいて利用することができる。
【図面の簡単な説明】
【００５１】
【図１】本発明の実施例に係るナビゲーション装置の構成を示すブロック図である。
【図２】道路（道路）名称と地図表示座標との関係を登録する管理テーブルを示す図である。
【図３】本実施例に係るナビゲーション装置における住所検索動作を説明するフローチャートである。
【図４】住所検索から目的地を設定するときの入力例である。
【図５】本実施例における住所検索時の道路の表示を説明する図である。
【図６】本実施例のおける目的地の設定の詳細を説明する図である。
【図７】本実施例に係るナビゲーション装置における目的地までの経路案内動作を説明するフローチャートである。
【図８】目的地に接近したときの案内表示例である。
【符号の説明】
【００５２】
１：ナビゲーション装置                １０：ＧＰＳ受信機
２０：操作パネル                      ３０：記憶装置
３２：通信制御部                      ４０：音声出力部
５０：表示制御部                      ５２：ディスプレイ
６０：プログラムメモリ                ７０：データメモリ
８０：状態検出部                      ９０：制御部
２００：初期検索画面                  ２１０：検索画面
【図１】
0004698393.tif 000002
【図２】
0004698393.tif 000003
【図３】
0004698393.tif 000004
【図４】
0004698393.tif 000005
【図５】
0004698393.tif 000006
【図６】
0004698393.tif 000007
【図７】
0004698393.tif 000008
【図８】
0004698393.tif 000009